(57)【要約】【課題】撮影レンズのロック機構を解除するアンロックボタンの操作感が良好な小型の撮像装置を提供する。【解決手段】撮影レンズを着脱可能な撮像装置（１）であって、押圧操作により、撮像装置に取り付けられた撮影レンズのロックを解除するアンロックボタン（２０２）と、撮影レンズをロックする第１の位置と撮影レンズのロックを解除する第２の位置との間で移動可能なレンズロックピン（１０２）と、レンズロックピンを保持しながらレンズロックピンと一体的に移動可能なロックピン保持部材（１０３）と、アンロックボタンの押圧操作に連動して移動する連動部材（１０５）とを有し、連動部材は、ロックピン保持部材に当接する第１の当接部（１０５ｂｂ、１０５ｃｃ）を有し、ロックピン保持部材は、連動部材に当接する第２の当接部（１０３ｂ、１０３ｃ）を有し、第１の当接部または第２の当接部の少なくとも一方は、凸形状である。【選択図】図５
2020112634.tif 000002
【特許請求の範囲】
【請求項１】
撮影レンズを着脱可能な撮像装置であって、
押圧操作により、前記撮像装置に取り付けられた前記撮影レンズのロックを解除するアンロックボタンと、
前記撮影レンズをロックする第１の位置と前記撮影レンズのロックを解除する第２の位置との間で移動可能なレンズロックピンと、
前記レンズロックピンを保持しながら前記レンズロックピンと一体的に移動可能なロックピン保持部材と、
前記レンズロックピンと前記アンロックボタンとの間に配置され、前記アンロックボタンの前記押圧操作に連動して移動する連動部材と、を有し、
前記連動部材は、前記ロックピン保持部材に当接する第１の当接部を有し、
前記ロックピン保持部材は、前記連動部材に当接する第２の当接部を有し、
前記第１の当接部または前記第２の当接部の少なくとも一方は、凸形状であることを特徴とする撮像装置。
【請求項２】
前記第１の当接部または前記第２の当接部の少なくとも一方は、球形状の頂点であることを特徴とする請求項１に記載の撮像装置。
【請求項３】
前記レンズロックピンは、前記アンロックボタンの移動方向と同一の方向に移動することを特徴とする請求項１または２に記載の撮像装置。
【請求項４】
前記レンズロックピンは、
前記撮像装置の本体マウントに形成された貫通孔に挿入されており、
前記第１の位置において、前記貫通孔から突出し、
前記第２の位置において、前記貫通孔の内部に収まっていることを特徴とする請求項１乃至３のいずれか１項に記載の撮像装置。
【請求項５】
前記連動部材の前記第１の当接部は、前記貫通孔の側面と摺動嵌合する前記レンズロックピンの側面の近傍に配置されていることを特徴とする請求項４に記載の撮像装置。
【請求項６】
前記連動部材の前記第１の当接部は、前記アンロックボタンの中心と前記レンズロックピンの中心とを結ぶ直線に沿った方向において、前記レンズロックピンの中心と同一の位置に配置されていることを特徴とする請求項１乃至５のいずれか１項に記載の撮像装置。
【請求項７】
前記連動部材の前記第１の当接部は、二つの当接部を有し、
前記二つの当接部は、前記アンロックボタンの中心と前記レンズロックピンの中心とを結ぶ直線と直交する方向において、前記レンズロックピンの前記中心から同一の距離だけ離れて配置されていることを特徴とする請求項１乃至６のいずれか１項に記載の撮像装置。
【請求項８】
前記連動部材は、前記アンロックボタンの中心と前記レンズロックピンの中心とを結ぶ直線に沿った方向において、本体部材の複数の部位で挟持され、前記アンロックボタンの移動方向に移動可能に保持されていることを特徴とする請求項１乃至７のいずれか１項に記載の撮像装置。
【請求項９】
外装カバーと、
前記アンロックボタンを前記外装カバーに当接させるように付勢する付勢部材と、
前記付勢部材を固定する固定部材と、
前記固定部材に固定され、前記アンロックボタンの摺動軸と摺動嵌合する筒形状部を有する軸受部材と、を更に有することを特徴とする請求項１乃至８のいずれか１項に記載の撮像装置。
【請求項１０】
前記筒形状部の先端部は、前記固定部材に挿通していることを特徴とする請求項９に記載の撮像装置。
【請求項１１】
前記筒形状部は、貫通穴であることを特徴とする請求項９または１０に記載の撮像装置。
【請求項１２】
前記アンロックボタンは第１の切欠部を有し、
前記軸受部材は、前記アンロックボタンの移動方向において前記第１の切欠部に対応する位置とは異なる位置に第２の切欠部を有することを特徴とする請求項９乃至１１のいずれか１項に記載の撮像装置。
【請求項１３】
前記アンロックボタンの第１の非切欠部と前記軸受部材の第２の非切欠部との少なくとも一部は、前記アンロックボタンの移動方向において重複範囲を有することを特徴とする請求項９乃至１２のいずれか１項に記載の撮像装置。
【請求項１４】
前記アンロックボタンの移動方向において、前記アンロックボタンと軸受部材との重複範囲の少なくとも一部は、互いに斜面形状であることを特徴とする請求項９乃至１３のいずれか１項に記載の撮像装置。
【請求項１５】
前記アンロックボタンは、前記アンロックボタンの移動方向において、前記連動部材に当接する第３の当接部を有することを特徴とする請求項１乃至１４のいずれか１項に記載の撮像装置。
【発明の詳細な説明】
【技術分野】
【０００１】
本発明は、交換可能な撮影レンズのロックを解除するためのアンロックボタンを備えた撮像装置に関する。
【背景技術】
【０００２】
特許文献１には、交換可能な撮影レンズのロックを解除するためのアンロックボタンを備えた撮像装置が開示されている。特許文献１に開示された撮像装置には、外装カバーよりも内側部分であってアンロックボタン操作部の投影より外側に、可動方向に平行な４本のガイド部が設けられている。アンロックボタンに形成された可動方向に平行な４本のガイド部に対応する被摺動部は、アンロックボタンの操作部の投影より外側に設けられている。レンズロックピン側の近傍の２本のガイド部は、レンズロックピンとの連動リブを挟み上下に配置している。また、連動リブを挟み上下に配置している２本のガイド部を、他方の２本のガイド部よりも長くすることにより、アンロックボタンの傾きを抑制する。
【先行技術文献】
【特許文献】
【０００３】
【特許文献１】特開２０１３−２４６１９８号公報
【発明の概要】
【発明が解決しようとする課題】
【０００４】
しかしながら、特許文献１に開示されている撮像装置において、４本のガイド部のうち２本のガイド部は、他の２本のガイド部と比べて撮像装置の厚み方向において長い。このため、撮像装置が大型化してしまう。
【０００５】
そこで本発明は、撮影レンズのロック機構を解除するアンロックボタンの操作感が良好であって小型の撮像装置を提供することを目的とする。
【課題を解決するための手段】
【０００６】
本発明の一側面としての撮像装置は、撮影レンズを着脱可能な撮像装置であって、押圧操作により、前記撮像装置に取り付けられた前記撮影レンズのロックを解除するアンロックボタンと、前記撮影レンズをロックする第１の位置と前記撮影レンズのロックを解除する第２の位置との間で移動可能なレンズロックピンと、前記レンズロックピンを保持しながら前記レンズロックピンと一体的に移動可能なロックピン保持部材と、前記レンズロックピンと前記アンロックボタンとの間に配置され、前記アンロックボタンの前記押圧操作に連動して移動する連動部材とを有し、前記連動部材は、前記ロックピン保持部材に当接する第１の当接部を有し、前記ロックピン保持部材は、前記連動部材に当接する第２の当接部を有し、前記第１の当接部または前記第２の当接部の少なくとも一方は、凸形状である。
【０００７】
本発明の他の目的及び特徴は、以下の実施形態において説明される。
【発明の効果】
【０００８】
本発明によれば、撮影レンズのロック機構を解除するアンロックボタンの操作感が良好であって小型の撮像装置を提供することができる。
【図面の簡単な説明】
【０００９】
【図１】本実施形態における撮像装置の外観斜視図である。
【図２】本実施形態におけるレンズロックピンの周辺およびアンロックボタンの周辺の分解斜視図である。
【図３】本実施形態におけるレンズロックピンの周辺の正面図である。
【図４】本実施形態におけるレンズロックピンの周辺の断面図である。
【図５】本実施形態におけるレンズロックピンおよびアンロックボタンの周辺の構成図である。
【図６】本実施形態におけるアンロックボタンの周辺の分解斜視図である。
【図７】本実施形態におけるアンロックボタンおよび軸受部材の正面図である。
【図８】比較例としてのレンズロックピンおよびアンロックボタンの斜視図である。
【発明を実施するための形態】
【００１０】
以下、本発明の実施形態について、図面を参照しながら詳細に説明する。
【００１１】
撮影レンズは、不用意に撮影レンズが撮像装置本体から外れないように、撮像装置本体にロックされる。撮影レンズを交換する際、ロックを解除するために、撮像装置に設けられた押圧操作可能なアンロックボタンがある。アンロックボタンは、撮影レンズを撮像装置本体にロックするレンズロックピンと連動している。撮影レンズが撮像装置に取り付けられる本体マウントの当接面には貫通孔がある。レンズロックピンは、本体マウントの当接面の貫通孔から突出している場合、撮影レンズの凹部と嵌合してロック状態となる。
【００１２】
図８を参照して、比較例としてのアンロックボタン３０１とレンズロックピン３０２との関係について説明する。図８は、比較例としてのアンロックボタン３０１およびレンズロックピン３０２の斜視図である。レンズロックピン３０２が加締め等で一体構成となっている階段形状部材３０３の当接部３０４が、アンロックボタンの当接部３０５と当接している。このため、アンロックボタン３０１を押圧操作すると、当接部３０４により階段形状部材３０３と一体構成のレンズロックピン３０２が連動し、アンロックボタン３０１の押圧方向３１０と同一方向に移動する。レンズロックピン３０２が本体マウントの当接面の孔から突出していない位置に移動すると、撮影レンズは非ロック状態となり、取り外し可能となる。
【００１３】
アンロックボタン３０１の外観側に突出する操作部の内部には、摺動部が設けられている。摺動部は、操作部と中心を一致させ、かつアンロックボタン３０１を付勢する付勢ばね３０６を投影内に配置している。その結果、アンロックボタン３０１の内部は、撮像装置本体の厚み方向に空間を必要とする。ミラーを備えないレンズ交換式タイプ本体は、アンロックボタン３０１が突出している前カバーからシャッタユニットなどの内部構造物までの距離が近いことで、撮像装置の小型化を可能としている。このため、アンロックボタン３０１の摺動部の摺動嵌合距離が短くなってしまう場合がある。その結果、押圧操作時にアンロックボタン３０１自体が左右に倒れ、傾きが発生してしまう。アンロックボタン３０１が傾きながら移動すると、前述の階段形状部材３０３も傾き、階段形状部材３０３と一体で移動するレンズロックピン３０２も傾きながら移動することになる。
【００１４】
レンズロックピン３０２は、撮影レンズの取り外しのロックだけでなく、撮影レンズの位置を決定するため、撮影レンズと当接する本体マウントの貫通孔と摺動嵌合である。このため、レンズロックピン３０２が傾きながら摺動すると、貫通孔の側面とレンズロックピン３０２の側面とが擦れながら摺動することになり、操作感が低下する。アンロックボタン３０１の摺動部を長くし、摺動嵌合距離を長くすれば、アンロックボタン３０１の傾きを抑制することが可能となり、レンズロックピンの３０２傾きも抑制でき、操作感が向上する。しかし、摺動嵌合距離を長くすると、前述のとおり、内部にはシャッタユニットなどの構造物が存在するため、撮像装置本体が厚くなり、撮像装置が大型化してしまう。以下、このような比較例の問題を解決するための本実施形態について説明する。
【００１５】
まず、図１を参照して、本実施形態における撮像装置１の概略構成について説明する。図１は、撮像装置１の正面から見た外観斜視図である。撮像装置１は、その上面において、撮像装置１の電源のＯＮ／ＯＦＦ機能を有する電源ボタン１１、および、撮影準備および撮影開始を指示するレリーズボタン１２を有する。また撮像装置１は、不図示の撮影レンズ（交換レンズ、レンズ装置）を取り付けるための本体マウント１０１を有する。本体マウント１０１には貫通孔１０１ａが形成されており、貫通孔１０１ａに挿入されたレンズロックピン１０２が突出している。
【００１６】
撮像装置１のフロントカバー（外装カバー）２０１からは、進退可能なアンロックボタン２０２が突出している。アンロックボタン２０２は、レンズロックピン１０２と連動している。ユーザは、撮像装置１に取り付けられた撮影レンズを取り外す場合、アンロックボタン２０２の操作部２０２ａを押圧操作する。アンロックボタン２０２の進退動作に連動して、レンズロックピン１０２の当接部１０２ｂは本体マウント１０１から離れる。これにより、撮影レンズは撮像装置１に対するロックが解除された非ロック状態となり、ユーザは撮影レンズを取り外すことが可能となる。
【００１７】
次に、図２を参照して、撮像装置１のレンズロックピン１０２およびアンロックボタン２０２の構成について説明する。図２は、レンズロックピン１０２の周辺およびアンロックボタン２０２の周辺の分解斜視図である。
【００１８】
図２（ａ）は、撮像装置１の本体ユニット１００（レンズロックピン１０２の周辺）を示している。本体マウント１０１は、当接面１０１ｂにおいて、不図示の撮影レンズ（交換レンズ）に設けられた取り付け面に当接する。本体マウント１０１には貫通穴１０１ａが設けられており、レンズロックピン１０２が貫通孔１０１ａと摺動嵌合する。ロックピンユニット１０９は、レンズロックピン１０２およびロックピン保持部材１０３を加締めて固定した一体のユニットである。ロックピンユニット１０９は、ロックピンスプリング１０４により、当接面１０１ｂから外観側に突出する方向に付勢されている。
【００１９】
連動部材１０５は、ロックピン保持部材１０３と、図２（ａ）中では不図示の凸形状部で当接しており、ロックピンスプリング１０４によりロックピンユニット１０９と同方向に付勢されている。なお連動部品１０５は、図２（ａ）に示されるように、ロックピンユニット１０９との当接部１０５ｂとアンロックボタン２０２との当接部１０５ａは、階段形状で別々の高さの位置（光軸方向において互いに異なる位置）に設けられている。
【００２０】
レンズ通信のための接点ユニット１０８は、撮影レンズと通信する電気的な接点を有する。レンズロックピン１０２は、貫通穴１０１ａと摺動嵌合している。撮影レンズを光軸方向に付勢するスプリング１０７は、本体マウント１０１と接点ユニット１０８との間に配置されている。本体マウント１０１および接点ユニット１０８は、撮像装置１の主たる構造体となる本体部材１０６に対して位置決めされ、ビスにより締結される。不図示の撮影レンズ側の取り付け部は、撮像装置１の本体マウント１０１の内径と嵌合する。撮影レンズの取り付け面は、スプリング１０７により、光軸方向に付勢されて本体マウント１０１に当接する。撮影レンズの取り付け部に設けられた凹部は、レンズロックピン１０２により係止される。これにより、撮像装置１に対する撮影レンズの取り付け位置が決定する。
【００２１】
図２（ｂ）は、撮像装置１のフロントカバーユニット２００（アンロックボタン２０２の周辺）を示している。アンロックボタン２０２は、ボタンスプリング（付勢部材）２０３によりフロントカバー２０１に向けて付勢され、当接している。ボタンスプリング２０３は、固定部材２０５により、アンロックボタン２０２と固定部材２０５との間で保持され、アンロックボタン２０２を付勢している。固定部材２０５には、アンロックボタン２０２の摺動軸２０２ｃと摺動嵌合する筒形状を有する軸受部材２０４が熱溶着により固定されている。また固定部材２０５は、フロントカバー２０１に対してビスで固定されている。このように、アンロックボタン２０２の可動機構は、フロントカバー２０１に保持されている。最終的にフロントカバーユニット２００は、撮像装置１の本体に取り付けられることで、本体ユニット１００との位置関係が決定する。
【００２２】
次に、図３および図４を参照して、レンズロックピン１０２の周辺構成について詳述する。図３は、レンズロックピン１０２の周辺の正面図である。なお図３では、本体マウント１０１および外装カバーであるフロントカバーユニット２００を省略している。図４は、レンズロックピン１０２の周辺の断面図である。図４（ａ）は図３中の線Ｂ−Ｂに沿って切断した断面図に相当し、図４（ｂ）は図３中の線Ｃ−Ｃに沿って切断した断面図に相当する。図３において、レンズロックピン１０２の中心１０２ａとアンロックボタン２０２の中心２０２ａａとを結ぶ直線方向をＸ方向とし、Ｘ方向に対して直角方向をＹ方向とする。図４（ａ）において、アンロックボタン２０２およびレンズロックピン１０２等の可動方向（移動方向）をＺ方向とする。
【００２３】
図３に示されるように、連動部材１０５は、アンロックボタン２０２とのＺ方向の当接部１０５ａを有する。図４（ａ）、（ｂ）に示されるように、連動部材１０５は、ロックピン保持部材１０３との当接部（第１の当接部）１０５ｂｂ、１０５ｃｃを有する。当接部１０５ｂｂ、１０５ｃｃは連動部材１０５から突出した球形状（凸形状）を有する。連動部材１０５の当接部１０５ｂｂ、１０５ｃｃは、ロックピン保持部材１０３の当接部（第２の当接部）１０３ｂ、１０３ｃにそれぞれ当接している。なお本実施形態において、当接部１０５ｂｂ、１０５ｃｃに代えて、当接部１０３ｂ、１０３ｃが球形状（凸形状）を有していてもよい。各当接部はそれぞれのＲ頂点で当接している。
【００２４】
ここで、ロックピン保持部材１０３の当接部１０３ｂ、１０３ｃと連動部材１０５の当接部１０５ｂｂ、１０５ｃｃのそれぞれの位置について説明する。図３に示されるように、連動部材１０５とロックピン保持部材１０３とのＸ方向における当接位置は、レンズロックピン１０２の中心１０２ａとＸ方向において同一位置にある当接部１０５ｂｂ、１０５ｃｃの中心部１０５ｂ１、１０５ｃ１である。図４（ａ）に示されるように、連動部材１０５とロックピン保持部材１０３とのＺ方向における当接位置は、レンズロックピン１０２が貫通孔１０１ａで摺動するレンズロックピン１０２の側面１０２ｃの近傍に位置する球形状の当接部１０５ｂｂである。また、他方の当接部１０５ｃｃの中心部１０５ｃ１も同様に、連動部材１０５とロックピン保持部材１０３とのＺ方向における当接位置は、球形状の当接部１０５ｃｃである。また、図３に示されるように、Ｙ方向における当接位置は当接部１０５ｂｂ、１０５ｃｃの中心部１０５ｂ１、１０５ｃ１であり、中心部１０５ｂ１、１０５ｃ１はレンズロックピン１０２の中心１０２ａから略同一の距離Ｆだけ離間している。
【００２５】
図３で示されるように、連動部材１０５は、本体部材１０６のかまぼこ形状部１０６ａ、１０６ｂの２カ所と立ち壁部１０６ｃとで挟持され（複数の部位で挟持され）、Ｚ方向に摺動可能に保持されている。図４（ａ）に示されるように、連動部材１０５は、球形状頂点１０５ｄにおいて、立ち壁部１０６ｃと摺動する。よって、連動部材１０５のＺ方向の摺動は、線または点での当接となるため、連動部材１０５がＺ方向へ可動する際の摺動抵抗がより軽減され、なめらかな摺動を実現できる。
【００２６】
次に、図４および図５を参照して、アンロックボタン２０２の押圧操作の際における動作について説明する。図５は、レンズロックピン１０２およびアンロックボタン２０２の周辺の構成図である。図５（ａ）は、レンズロックピン１０２の周辺の正面外観図であり、図２（ａ）の本体ユニット１００と図２（ｂ）のフロントカバーユニット２００とを組み合わせて示している。図５（ｂ）は、図５（ａ）中の線Ａ−Ａに沿って切断した断面図である。
【００２７】
図５（ｂ）に示されるように、アンロックボタン２０２の操作部２０２ａがＺ方向に押圧されると、連動部材１０５の当接部１０５ａは、アンロックボタン２０２の当接部（第３の当接部）２０２ｂに押されてＺ方向に移動する。連動部材１０５は、本体部材１０６に摺動可能に挟持保持されているため、一定のクリアランスを設けている。連動部材１０５がＺ方向に移動すると、レンズロックピン１０２の当接部１０２ｂが本体マウント１０１から離れ、レンズロックピン１０２と一体構成のロックピン保持部材１０３も各当接部により連動してＺ方向に移動する。レンズロックピン１０２と一体構成のロックピン保持部材１０３が連動部材１０５と当接する当接部１０３ｂ、１０３ｃは、Ｚ方向において、レンズロックピン１０２の側面１０２ｃの近傍に配置されている。当接部１０３ｂ、１０３ｃがＺ方向に力を受けて移動するため、レンズロックピン１０２は、当接部１０３ｂ、１０３ｃがレンズロックピン１０２の側面１０２ｃから離れて配置されている場合と比較すると傾きにくい。また、当接部１０３ｂ、１０３ｃは、Ｘ方向においては同一位置に配置され、Ｙ方向においては同一距離だけ離間して配置されている。このため当接部１０３ｂ、１０３ｃは、均等にＺ方向の力を受けることになり、レンズロックピン１０２はより傾かずにＺ方向に移動することができる。
【００２８】
アンロックボタン２０２の押圧操作の際に、アンロックボタン２０２が傾いた状態でＺ方向に移動すると、連動部材１０５は、図５（ｂ）中の矢印Ｋの方向へ傾きながら移動することになる。ここで、連動部材１０５とロックピン保持部材１０３とは別々の部品構成である。また、連動部材１０５とロックピン保持部材１０３とのＺ方向における当接部は、球形状の頂点である当接部１０５ｂｂ、１０５ｃｃであり、点当接している。このため、連動部材１０５が傾いても、当接部１０５ｂｂ、１０５ｃｃの当接位置は若干、変化するが、点当接することにおいて変化はない。このため、連動部材１０５の傾きの影響をロックピン保持部材１０３が受けることが少ない。すなわち本構成によれば、ロックピン保持部材１０３が傾きながら移動することが抑制される。ロックピン保持部材１０３の傾きを抑制することができるため、レンズロックピン１０２も傾きが抑制された状態でＺ方向に移動することが可能となる。
【００２９】
従来の構成では、連結部材とレンズロックピンのロックピン保持部材とが一体で構成されていたため、連結部材が傾きながらＺ方向に移動すると、同様にレンズロックピン１０２も傾きながら移動してしまう。レンズロックピンの側面が本体マウントの貫通孔の側面と擦れながら摺動していることで、レンズロックピンの摺動性が低下していた。一方、本実施形態によれば、レンズロックピン１０２が傾くことを抑制しつつ移動が可能となる。このため、貫通孔１０１ａの側面１０１ｃとレンズロックピン１０２の側面１０２ｃとが擦れることが減少し、レンズロックピン１０２の摺動性が改善される。このため、アンロックボタン２０２の操作性が良好になる。
【００３０】
次に、図２（ｂ）、図５（ｂ）、（ｃ）を参照して、アンロックボタン２０２の構成について詳述する。図２（ｂ）に示されるように、アンロックボタン２０２の可動機構は、フロントカバー２０１に保持されている。図５（ｂ）に示されるように、アンロックボタン２０２は、フランジ部の非切欠部（第１の非切欠部）２０２ｄ、２０２ｅにおいて、ボタンスプリング２０３によりフロントカバー２０１に付勢されている。アンロックボタン２０２と軸受部材２０４は、アンロックボタン２０２の摺動軸２０２ｃと軸受部材２０４の筒形状部２０４ａとで摺動嵌合されている。軸受部材２０４は、図２（ｂ）に示されるように、フロントカバー２０１にねじ固定される固定部材２０５に保持固定されている。図５（ｂ）に示されるように、軸受部材２０４の筒形状部２０４ａは貫通穴である。また、筒形状部２０４ａのＺ方向の先端部２０４ｂは、固定部材２０５に挿通しており、固定部材２０５よりも突出している。
【００３１】
図５（ｃ）は、アンロックボタン２０２が押圧され、Ｚ方向に移動し、不図示の突き当て部まで移動した状態を示している。図５（ｃ）に示されるように、アンロックボタン２０２の摺動軸先端部２０２ｆは、軸受部材２０４の筒形状部２０４ａが貫通しているため、筒形状部先端部２０４ｂの周辺まで移動することが可能である。すなわち、アンロックボタン２０２の摺動軸２０２ｃを長くすることできる。摺動軸２０２ｃが長くなると、摺動嵌合距離が長くなる。摺動嵌合距離が長くなると、アンロックボタン２０２の押圧操作の際のアンロックボタン２０２の傾きを抑制することが可能となる。アンロックボタン２０２の傾きを抑制することが可能なため、アンロックボタン２０２の操作性が良好になる。
【００３２】
次に、図６および図７を参照して、アンロックボタン２０２および軸受部材２０４の更なる詳細形状について説明する。図６は、図２（ｂ）におけるフロントカバー２０１を不図示としたアンロックボタン２０２の周辺の分解斜視図である。図６（ａ）は正面側から見た図、図６（ｂ）は背面側から見た図をそれぞれ示す。
【００３３】
図６（ａ）、（ｂ）に示されるように、アンロックボタン２０２のフランジ部は、非切欠部（第１の非切欠部）２０２ｅ、２０２ｄのように分割された形状であり、切欠部（第１の切欠部）２０２ｇ、２０２ｈを有する。同様に、軸受部材２０４も、切欠部（第２の切欠部）２０４ｃ、２０４ｄおよび非切欠部（第２の非切欠部）２０４ｅ、２０４ｆを有する。図６（ｂ）に示されるように、軸受部材２０４は、非切欠部２０４ｅ、２０４ｆの裏面側から突出した凸形状部２０４ｇ、２０４ｈを有する。凸形状部２０４ｇ、２０４ｈが固定部材２０５と熱溶着されることで、軸受部材２０４は固定部材２０５に固定される。
【００３４】
図７（ａ）、（ｂ）は、フロントカバー２０１を不図示としてアンロックボタン２０２および軸受部材２０４を示す正面図および側面図である。図７（ａ）中の点線は、軸受部材２０４の外形を示している。図７（ａ）に示されるように、アンロックボタン２０２のフランジ部の切欠部２０２ｇ、２０２ｈと、軸受部材２０４の非切欠部２０４ｅ、２０４ｆは、Ｚ方向において略同一位置に対応している。すなわち、アンロックボタン２０２のフランジ部の非切欠部２０２ｅは、軸受部材２０４の切欠部２０４ｃと略同一位置にあり、また、アンロックボタン２０２のフランジ部の非切欠部２０２ｄは、軸受部材２０４の切欠部２０４ｄと略同一位置にある。逆に、アンロックボタン２０２の切欠部２０２ｇは、軸受部材２０４の非切欠部２０４ｅと略同一位置にあり、また、アンロックボタン２０２の切欠部２０２ｈは、軸受部材２０４の非切欠部２０４ｆと略同一位置にある。
【００３５】
このような構成により、アンロックボタン２０２が押圧され、Ｚ方向に不図示の突き当て部まで移動した場合、アンロックボタン２０２のフランジ部と軸受部材２０４とが干渉することを回避できる。アンロックボタン２０２のフランジ部の切欠部２０２ｇ、２０２ｈがない場合、軸受部材２０４との干渉を回避するために、撮像装置本体のＺ方向の厚みを増す必要があり、撮像装置が大型化してしまう。しかし、本実施形態の構成とすることで、撮影装置を大型化することがなく、軸受部材２０４を配置することができる。
【００３６】
また、図７（ａ）に示されるように、アンロックボタン２０２のフランジ部の非切欠部２０２ｅ、２０２ｄの一部と軸受部材２０４の非切欠部２０４ｅ、２０４ｆとは、正面から見たＺ方向の投影において、重複範囲（Ｐ１、Ｐ２、Ｐ３、Ｐ４）が存在する。アンロックボタン２０２は、フロントカバー２０１に対してクリアランスを持って移動可能に保持されている。このため、アンロックボタン２０２のフランジ部の非切欠部２０２ｅ、２０２ｈと軸受部材２０４の非切欠部２０４ｅ、２０４ｆにおいて、重複範囲がない場合、前述のクリアランスの隙間から、内部部品が見えてしまう。そこで、一部重複範囲を設けることで、前述のクリアランスから内部部品を見えなくすることができため、外観品位を下げることがない構成となる。
【００３７】
また、図６（ａ）、（ｂ）および図７（ｂ）に示されるように、アンロックボタン２０２のフランジ部２０２ｄの軸受部材側の重複範囲の少なくとも一部を斜面形状部２０２ｄａとしている。同様に、軸受部材２０４のアンロックボタン側の重複範囲の少なくとも一部を斜面形状部２０４ｅｂとし、互いに斜面で逃げ形状としている。このため、アンロックボタン２０２が押圧され、Ｚ方向に不図示の突き当て部まで移動した場合でも、アンロックボタン２０２のフランジ部と軸受部材２０４とが干渉することを回避することができる。
【００３８】
図７（ａ）の重複範囲Ｐ１での斜面形状部は、図６（ａ）、（ｂ）および図７（ｂ）に示されるように、アンロックボタン２０２側では斜面形状部２０２ｄａ、軸受部材２０４側では斜面形状部２０４ｅｂである。重複範囲Ｐ１以外のアンロックボタン２０２と軸受部材２０４との重複範囲（Ｐ２、Ｐ３、Ｐ４）においても同様の構成を有する。すなわち重複範囲Ｐ２、Ｐ３、Ｐ４での斜面形状部は、アンロックボタン２０２側では斜面形状部２０２ｅａ、２０２ｄｂ、２０２ｅｂ、軸受部材２０４側では斜面形状部２０４ｅａ、２０４ｆａ、２０４ｆｂである。
【００３９】
以上の構成により、アンロックボタン２０２が押圧され、Ｚ方向に突き当て部まで移動した場合でも、アンロックボタン２０２のフランジ部と軸受部材２０４との干渉を回避し、かつ外観から内部部品が見えることがない。仮に、アンロックボタン２０２のフランジ部の切欠部２０２ｇ、２０２ｈがない場合、軸受部材２０４との干渉を回避するため、撮像装置本体のＺ方向の厚みを増す必要がある。その結果、撮像装置が大型化してしまう。しかし、本実施形態の構成によれば、撮影装置を大型化することがなく、軸受部材２０４を配置することが可能となる。また本実施形態の構成によれば、撮像装置の内部部品に影響を及ぼすことがなく、軸受部材２０４を配置し、アンロックボタン２０２の摺動嵌合距離を長くすることが可能となる。また、外装であるフロントカバーを大型化する必要がないため、小型の撮像装置を実現することが可能である。本実施形態において、レンズロックピン１０２の周辺の構成とアンロックボタン２０２の周辺の構成は組み合わせることが可能である。これにより、撮像装置を大型化することなく、撮影レンズのロックを解除するためのレンズロックボタンの操作性が良好な撮像装置を提供することができる。
【００４０】
このように本実施形態において、撮像装置１は、撮影レンズを着脱可能な撮像装置であって、アンロックボタン２０２、レンズロックピン１０２、ロックピン保持部材１０３、および、連動部材１０５を有する。アンロックボタン２０２は、押圧操作により、撮像装置に取り付けられた撮影レンズのロックを解除する。レンズロックピンは、撮影レンズをロックする第１の位置（図５（ｂ）の状態）と撮影レンズのロックを解除する第２の位置（図５（ｃ）の状態）との間で移動可能である。ロックピン保持部材は、レンズロックピンを保持しながらレンズロックピンと一体的に移動可能である。連動部材は、レンズロックピンとアンロックボタンとの間に配置され、アンロックボタンの押圧操作に連動して移動する。また連動部材は、ロックピン保持部材に当接する第１の当接部（当接部１０５ｂｂ、１０５ｃｃ）を有し、ロックピン保持部材は、連動部材に当接する第２の当接部（当接部１０３ｂ、１０３ｃ）を有する。第１の当接部または第２の当接部の少なくとも一方は、凸形状である。
【００４１】
好ましくは、第１の当接部または第２の当接部の少なくとも一方は、球形状の頂点（Ｒ頂点）である。また好ましくは、レンズロックピンは、アンロックボタンの移動方向と同一の方向に移動する。また好ましくは、レンズロックピンは、撮像装置の本体マウント１０１に形成された貫通孔１０１ａに挿入されており、第１の位置において貫通孔から突出し、第２の位置において貫通孔の内部に収まっている。より好ましくは、連動部材の第１の当接部は、貫通孔の側面１０１ｂと摺動嵌合するレンズロックピンの側面１０２ｃの近傍に配置されている。
【００４２】
好ましくは、連動部材の第１の当接部は、アンロックボタンの中心２０２ａａとレンズロックピンの中心１０２ａとを結ぶ直線に沿った方向（Ｘ方向）において、レンズロックピンの中心と同一（略同一）の位置に配置されている。また好ましくは、連動部材の第１の当接部は、二つの当接部１０５ｂｂ、１０５ｃｃを有する。二つの当接部は、アンロックボタンの中心とレンズロックピンの中心とを結ぶ直線と直交する方向（Ｙ方向）において、レンズロックピンの中心から同一（略同一）の距離Ｆだけ離れて配置されている。また好ましくは、連動部材は、Ｘ方向において、本体部材１０６の複数の部位（かまぼこ形状部１０６ａ、１０６ｂ、立ち壁部１０６ｃ）で挟持され、アンロックボタンの移動方向に移動可能に保持されている。
【００４３】
好ましくは、撮像装置は、外装カバー（フロントカバー２０１）、付勢部材（ボタンスプリング２０３）、固定部材２０５、および、軸受部材２０４を有する。付勢部材は、アンロックボタンを外装カバーに当接させるように付勢する。固定部材は、付勢部材を固定する。軸受部材は、固定部材に固定され、アンロックボタンの摺動軸２０２ｃと摺動嵌合する筒形状部２０４ａを有する。より好ましくは、筒形状部の先端部２０４ｂは、固定部材に挿通している。また好ましくは、筒形状部は貫通穴である。
【００４４】
好ましくは、アンロックボタンは第１の切欠部（切欠部２０２ｇ、２０２ｈ）を有し、軸受部材は、アンロックボタンの移動方向において第１の切欠部に対応する位置とは異なる位置に第２の切欠部（切欠部２０４ｃ、２０４ｄ）を有する。また好ましくは、アンロックボタンの第１の非切欠部（非切欠部２０２ｄ、２０２ｅ）と軸受部材の第２の非切欠部（非切欠部２０４ｅ、２０４ｆ）との少なくとも一部は、アンロックボタンの移動方向において重複範囲（Ｐ１、Ｐ２、Ｐ３、Ｐ４）を有する。また好ましくは、アンロックボタンの移動方向において、アンロックボタンと軸受部材との重複範囲の少なくとも一部は、互いに斜面形状（斜面形状部２０２ｄａ、２０４ｅｂ）である。また好ましくは、アンロックボタンは、アンロックボタンの移動方向において、連動部材に当接する第３の当接部（当接部２０２ｂ）を有する。
【００４５】
本実施形態によれば、連動部材と、レンズロックピンと一体で構成しているロックピン保持部材とは別々に移動するため、連動部材が傾きながら移動しても、レンズロックピンは傾きにくい。また、連動部材が傾いても当接する箇所は凸部であり、レンズロックピンは傾きが抑制された状態で移動する。レンズロックピンが傾きを抑制された状態で移動するため、本体マウントの貫通孔の側面とレンズロックピンの側面とが擦れることが減少する。従って、アンロックボタンの操作感を良好にすることができる。また、アンロックボタン側の構成において、アンロックボタンの摺動軸と嵌合する軸受部材の筒形状部が固定部材に挿通しているため、アンロックボタンの摺動軸を固定部材分以上に長くすることができる。すなわち、アンロックボタンの摺動嵌合距離を長くすることができ、アンロックボタン操作時の傾きを抑制することが可能となる。アンロックボタンの押圧操作時の傾きを抑制できれば、連動して可動するレンズロックピンの傾きも抑制される。このため、レンズロックピンが摺動嵌合している本体マウントの貫通孔の側面とレンズロックピンの側面とが擦れることが減少する。従って、アンロックボタンの操作感を良好にすることができる。このため本実施形態によれば、撮影レンズのロック機構を解除するアンロックボタンの操作感が良好であって小型の撮像装置を提供することができる。
【００４６】
以上、本発明の好ましい実施形態について説明したが、本発明はこれらの実施形態に限定されず、その要旨の範囲内で種々の変形及び変更が可能である。
【符号の説明】
【００４７】
１  撮像装置
１０２  レンズロックピン
１０３  ロックピン保持部材
１０５  連動部材
２０２  アンロックボタン
【図１】
2020112634.tif 000003
【図２】
2020112634.tif 000004
【図３】
2020112634.tif 000005
【図４】
2020112634.tif 000006
【図５】
2020112634.tif 000007
【図６】
2020112634.tif 000008
【図７】
2020112634.tif 000009
【図８】
2020112634.tif 000010